(57)【要約】【課題】緊急時に必要な記憶装置の容量を適切に確保することを可能とする通信端末等を提供する。【解決手段】本発明に係る通信端末は、撮像部と、メッセージの送信先を記憶する記憶部と、を有する通信端末であって、記憶部の利用可能容量を取得する容量取得部と、ユーザによる第１操作に応じて撮像部が起動されて撮像画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信する通知送信部と、撮像画面が表示された時の利用可能容量が第２閾値以下である場合、撮像画面の表示の終了を指示する制御部と、を備え、制御部は、ユーザによる第２操作に応じて、利用可能容量にかかわらず撮像部に画像を撮像させて記憶部に記憶させるとともに、画像と第１メッセージとを送信先に送信する、ことを特徴とする。【選択図】図１
2020202440.tif 000002
【特許請求の範囲】
【請求項１】
撮像部と、メッセージの送信先を記憶する記憶部と、を有する通信端末であって、
前記記憶部の利用可能容量を取得する容量取得部と、
ユーザによる第１操作に応じて前記撮像部が起動されて撮像画面が表示された時の前記利用可能容量が第１閾値以下であり且つ第２閾値よりも大きい場合、前記送信先に第１通知メッセージを送信し、前記利用可能容量が前記第２閾値以下である場合、前記送信先に第２通知メッセージを送信する通知送信部と、
前記撮像画面が表示された時の利用可能容量が前記第２閾値以下である場合、前記撮像画面の表示の終了を指示する制御部と、を備え、
前記制御部は、ユーザによる第２操作に応じて、前記利用可能容量にかかわらず前記撮像部に画像を撮像させて前記記憶部に記憶させるとともに、当該画像と第１メッセージとを前記送信先に送信する、
ことを特徴とする通信端末。
【請求項２】
前記制御部は、前記撮像画面が表示された時の利用可能容量が前記第１閾値以下であり且つ前記第２閾値よりも大きい場合、前記通信端末に、当該通信端末の利用者に注意を促す第１表示メッセージを表示し、前記利用可能容量が前記第２閾値以下である場合、前記通信端末に第２表示メッセージを表示した後に前記撮像画面の表示の終了を指示する、
請求項１に記載の通信端末。
【請求項３】
前記撮像画面が表示された後に前記利用可能容量が前記第２閾値以下になった場合、前記撮像画面におけるユーザによる第３操作に応じて前記撮像部が画像を撮像した後に、
前記通知送信部は、前記送信先に前記第２通知メッセージを送信し、
前記制御部は、前記撮像画面の表示の終了を指示する、
請求項１又は２に記載の通信端末。
【請求項４】
前記撮像部は、ユーザの選択に応じて静止画像撮像モード又は動画像撮像モードで起動可能であり、
前記制御部は、前記撮像部が起動される時の前記利用可能容量が前記第１閾値以下である場合、前記ユーザの選択にかかわらず前記静止画像撮像モードでの起動を前記撮像部に指示する、
請求項１−３の何れか一項に記載の通信端末。
【請求項５】
前記制御部は、前記利用可能容量が前記第１閾値以下である場合、前記利用可能容量が前記第２閾値以下となるまでの動画像の撮像可能時間を取得して前記撮像画面に表示させる、
請求項１−４の何れか一項に記載の通信端末。
【請求項６】
撮像部と、メッセージの送信先を記憶する記憶部と、を有する通信端末の制御プログラムであって、
前記記憶部の利用可能容量を取得し、
ユーザによる第１操作に応じて前記撮像部が起動されて撮像画面が表示された時の前記利用可能容量が第１閾値以下であり且つ第２閾値よりも大きい場合、前記送信先に第１通知メッセージを送信し、前記利用可能容量が前記第２閾値以下である場合、前記送信先に第２通知メッセージを送信し、
前記撮像画面が表示された時の利用可能容量が前記第２閾値以下である場合、前記撮像画面の表示の終了を指示し、
ユーザによる第２操作に応じて、前記利用可能容量にかかわらず前記撮像部に画像を撮像させて前記記憶部に記憶させるとともに、当該画像と第１メッセージとを前記送信先に送信する、
ことを前記通信端末に実行させることを特徴とする制御プログラム。
【請求項７】
撮像部と、メッセージの送信先を記憶する記憶部と、を有する通信端末の制御方法であって、
前記記憶部の利用可能容量を取得し、
ユーザによる第１操作に応じて前記撮像部が起動されて撮像画面が表示された時の前記利用可能容量が第１閾値以下であり且つ第２閾値よりも大きい場合、前記送信先に第１通知メッセージを送信し、前記利用可能容量が前記第２閾値以下である場合、前記送信先に第２通知メッセージを送信し、
前記撮像画面が表示された時の利用可能容量が前記第２閾値以下である場合、前記撮像画面の表示の終了を指示し、
ユーザによる第２操作に応じて、前記利用可能容量にかかわらず前記撮像部に画像を撮像させて前記記憶部に記憶させるとともに、当該画像と第１メッセージとを前記送信先に送信する、
ことを含むことを特徴とする制御方法。
【請求項８】
撮像部と、メッセージの送信先を記憶する記憶部を有する通信端末であって、
前記記憶部の利用可能容量を取得する容量取得部と、
ユーザによる第１操作に応じてメッセージを送信するためのメッセージ画面が表示された時の前記利用可能容量が第１閾値以下であり且つ第２閾値よりも大きい場合、前記送信先に第１通知メッセージを送信し、前記利用可能容量が前記第２閾値以下である場合、前記送信先に第２通知メッセージを送信する通知送信部と、
前記メッセージ画面が表示された時の利用可能容量が前記第２閾値以下である場合、前記ユーザによるメッセージの送信を制限する制御部と、を備え、
前記制御部は、ユーザによる第２操作に応じて、前記利用可能容量にかかわらず前記撮像部に画像を撮像させて前記記憶部に記憶させるとともに、当該画像と第１メッセージとを前記送信先に送信する、
ことを特徴とする通信端末。
【請求項９】
撮像部と、メッセージの送信先を記憶する記憶部を有する通信端末の制御プログラムであって、
前記記憶部の利用可能容量を取得し、
ユーザによる第１操作に応じてメッセージを送信するためのメッセージ画面が表示された時の前記利用可能容量が第１閾値以下であり且つ第２閾値よりも大きい場合、前記送信先に第１通知メッセージを送信し、前記利用可能容量が前記第２閾値以下である場合、前記送信先に第２通知メッセージを送信し、
前記メッセージ画面が表示された時の利用可能容量が前記第２閾値以下である場合、前記ユーザによるメッセージの送信を制限し、
ユーザによる第２操作に応じて、前記利用可能容量にかかわらず前記撮像部に画像を撮像させて前記記憶部に記憶させるとともに、当該画像と第１メッセージとを前記送信先に送信する、
ことを前記通信端末に実行させることを特徴とする制御プログラム。
【請求項１０】
撮像部と、メッセージの送信先を記憶する記憶部を有する通信端末の制御方法であって、
前記記憶部の利用可能容量を取得し、
ユーザによる第１操作に応じてメッセージを送信するためのメッセージ画面が表示された時の前記利用可能容量が第１閾値以下であり且つ第２閾値よりも大きい場合、前記送信先に第１通知メッセージを送信し、前記利用可能容量が前記第２閾値以下である場合、前記送信先に第２通知メッセージを送信し、
前記メッセージ画面が表示された時の利用可能容量が前記第２閾値以下である場合、前記ユーザによるメッセージの送信を制限し、
ユーザによる第２操作に応じて、前記利用可能容量にかかわらず前記撮像部に画像を撮像させて前記記憶部に記憶させるとともに、当該画像と第１メッセージとを前記送信先に送信する、
ことを含むことを特徴とする制御方法。
【発明の詳細な説明】
【技術分野】
【０００１】
本発明は、通信端末、制御プログラム及び制御方法に関する。
【背景技術】
【０００２】
従来、防犯のために、子供等の被管理者に防犯ブザーを携帯させることが行われていた。近年では、このような防犯ブザーに通信機能を付加し、防犯ブザーが鳴動した時に保護者等の管理者の端末に自動的にメッセージを送信する機能を備える通信端末も流通している。
【０００３】
このような通信端末において、防犯ブザーが鳴動した時等の緊急時に、被管理者の詳細な状況を管理者に伝えることは、被管理者の保護等の観点から有用である。特許文献１には、防犯ブザーの作動に応じて画像を撮影し、防犯ブザー作動時に撮影した画像を他の携帯端末に送信することができる携帯端末が記載されている。
【先行技術文献】
【特許文献】
【０００４】
【特許文献１】特開２０１９−４１３５３号公報
【発明の概要】
【発明が解決しようとする課題】
【０００５】
近年、電話やカメラ等の複数の機能を備える携帯電話等の通信端末を携帯する被管理者が増加している。一般に、そのような通信端末は共通の記憶装置を利用して電話やカメラ等の複数の機能を動作させており、多数の機能を動作させる場合や利用可能な記憶装置の容量が少ない場合には機能の利用が制限されることがある。したがって、そのような通信端末に防犯ブザーとしての機能を付加する場合、被管理者が緊急時に防犯ブザーの機能を利用できるようにするために、緊急時に必要な記憶装置の容量を確保することが必要となる。
【０００６】
本発明は、上述の課題を解決すべくなされたものであり、緊急時に必要な記憶装置の容量を適切に確保することを可能とする通信端末、制御プログラム及び制御方法を提供することを目的とする。
【課題を解決するための手段】
【０００７】
本発明に係る通信端末は、撮像部と、メッセージの送信先を記憶する記憶部と、を有する通信端末であって、記憶部の利用可能容量を取得する容量取得部と、ユーザによる第１操作に応じて撮像部が起動されて撮像画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信する通知送信部と、撮像画面が表示された時の利用可能容量が第２閾値以下である場合、撮像画面の表示の終了を指示する制御部と、を備え、制御部は、ユーザによる第２操作に応じて、利用可能容量にかかわらず撮像部に画像を撮像させて記憶部に記憶させるとともに、画像と第１メッセージとを送信先に送信する、ことを特徴とする。
【０００８】
また、本発明に係る通信端末において、制御部は、撮像画面が表示された時の利用可能容量が第１閾値以下であり且つ第２閾値よりも大きい場合、通信端末に、通信端末の利用者に注意を促す第１表示メッセージを表示し、利用可能容量が第２閾値以下である場合、通信端末に第２表示メッセージを表示した後に撮像画面の表示の終了を指示する、ことが好ましい。
【０００９】
また、本発明に係る通信端末において、撮像画面が表示された後に利用可能容量が第２閾値以下になった場合、撮像画面におけるユーザによる第３操作に応じて撮像部が画像を撮像した後に、通知送信部は、送信先に第２通知メッセージを送信し、制御部は、撮像画面の表示の終了を指示する、ことが好ましい。
【００１０】
また、本発明に係る通信端末において、撮像部は、ユーザの選択に応じて静止画像撮像モード又は動画像撮像モードで起動可能であり、制御部は、撮像部が起動される時の利用可能容量が第１閾値以下である場合、ユーザの選択にかかわらず静止画像撮像モードでの起動を撮像部に指示する、ことが好ましい。
【００１１】
また、本発明に係る通信端末において、制御部は、利用可能容量が第１閾値以下である場合、利用可能容量が第２閾値以下となるまでの動画像の撮像可能時間を取得して撮像画面に表示させる、ことが好ましい。
【００１２】
本発明に係る制御プログラムは、撮像部と、メッセージの送信先を記憶する記憶部と、を備える通信端末の制御プログラムであって、記憶部の利用可能容量を取得し、ユーザによる第１操作に応じて撮像部が起動されて撮像画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信し、撮像画面が表示された時の利用可能容量が第２閾値以下である場合、撮像画面の表示の終了を指示し、ユーザによる第２操作に応じて、利用可能容量にかかわらず撮像部に画像を撮像させて記憶部に記憶させるとともに、画像と第１メッセージとを送信先に送信する、ことを通信端末に実行させることを特徴とする。
【００１３】
本発明に係る制御方法は、撮像部と、メッセージの送信先を記憶する記憶部と、を備える通信端末の制御方法であって、記憶部の利用可能容量を取得し、ユーザによる第１操作に応じて撮像部が起動されて撮像画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信し、撮像画面が表示された時の利用可能容量が第２閾値以下である場合、撮像画面の表示の終了を指示し、ユーザによる第２操作に応じて、利用可能容量にかかわらず撮像部に画像を撮像させて記憶部に記憶させるとともに、画像と第１メッセージとを送信先に送信する、ことを含むことを特徴とする。
【００１４】
本発明に係る通信端末は、撮像部と、メッセージの送信先を記憶する記憶部を有する通信端末であって、記憶部の利用可能容量を取得する容量取得部と、ユーザによる第１操作に応じてメッセージを送信するためのメッセージ画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信する通知送信部と、メッセージ画面が表示された時の利用可能容量が第２閾値以下である場合、ユーザによるメッセージの送信を制限する制御部と、を備え、制御部は、ユーザによる第２操作に応じて、利用可能容量にかかわらず撮像部に画像を撮像させて記憶部に記憶させるとともに、画像と第１メッセージとを送信先に送信する、ことを特徴とする。
【００１５】
本発明に係る制御プログラムは、撮像部と、メッセージの送信先を記憶する記憶部を有する通信端末の制御プログラムであって、記憶部の利用可能容量を取得し、ユーザによる第１操作に応じてメッセージを送信するためのメッセージ画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信し、メッセージ画面が表示された時の利用可能容量が第２閾値以下である場合、ユーザによるメッセージの送信を制限し、ユーザによる第２操作に応じて、利用可能容量にかかわらず撮像部に画像を撮像させて記憶部に記憶させるとともに、画像と第１メッセージとを送信先に送信する、ことを前記通信端末に実行させることを特徴とする。
【００１６】
本発明に係る制御方法は、撮像部と、メッセージの送信先を記憶する記憶部を有する通信端末の制御方法であって、記憶部の利用可能容量を取得し、ユーザによる第１操作に応じてメッセージを送信するためのメッセージ画面が表示された時の利用可能容量が第１閾値以下であり且つ第２閾値よりも大きい場合、送信先に第１通知メッセージを送信し、利用可能容量が第２閾値以下である場合、送信先に第２通知メッセージを送信し、メッセージ画面が表示された時の利用可能容量が第２閾値以下である場合、ユーザによるメッセージの送信を制限し、ユーザによる第２操作に応じて、利用可能容量にかかわらず撮像部に画像を撮像させて記憶部に記憶させるとともに、画像と第１メッセージとを送信先に送信する、ことを含むことを特徴とする。
【発明の効果】
【００１７】
本発明に係る通信端末、制御プログラム及び制御方法は、緊急時に必要な記憶装置の容量を適切に確保することを可能とする。
【図面の簡単な説明】
【００１８】
【図１】本発明の一実施形態に係る通信端末の概要を説明するための模式図である。
【図２】通信端末１の概略構成の一例を示す図である。
【図３】通信端末１の外観を説明するための模式図である。
【図４】送信先テーブルＴ１のデータ構造の一例を示す図である。
【図５】ホーム画面５００の一例を示す図である。
【図６】カメラ画面の一例を示す図である。
【図７】メール画面の一例を示す図である。
【図８】緊急時処理の流れの一例を示すフロー図である。
【図９】ホーム画面処理の流れの一例を示すフロー図である。
【図１０】カメラ画面表示処理の流れの一例を示すフロー図である。
【図１１】撮像処理の流れの一例を示すフロー図である。
【図１２】メール画面表示処理の流れの一例を示すフロー図である。
【図１３】画面遷移処理の流れの一例を示すフロー図である。
【図１４】撮像モード決定処理の流れの一例を示すフロー図である。
【図１５】カメラ画面６４０の一例を示す図である。
【図１６】撮像可能時間表示処理の流れの一例を示すフロー図である。
【発明を実施するための形態】
【００１９】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２０】
（本発明の概要説明）
図１は、本発明の一実施形態に係る通信端末の概要を説明するための模式図である。通信端末は、通常の多機能携帯電話（所謂「スマートフォン」）又は携帯電話（所謂「フィーチャーフォン」）としての機能を有するとともに、防犯ブザーとしての機能を有する。通信端末は、例えば、保護者等の管理者との日常及び緊急時の連絡手段として、子供等の被管理者であるユーザによって携帯される。
【００２１】
通信端末は、カメラ起動操作及び緊急操作を受付ける。カメラ起動操作は、通信端末が備える撮像部を起動し、カメラ機能を利用するための操作であり、通信端末が備えるタッチパネル又はキーパッド等を介した操作である。通信端末は、ユーザによるカメラ起動操作に応じて撮像部が起動されて撮像画面が表示される（図１の（１））。撮像画面は、ユーザが画像を撮像するための画面である。なお、カメラ起動操作は、第１操作の一例である。
【００２２】
通信端末は、通信端末が備える記憶装置の利用可能容量を取得する。通信端末は、撮像画面が表示された時の利用可能容量が第１閾値以下であり且つ第２閾値よりも大きい場合（図１の（ｉ））、管理者の送信先に第１通知メッセージを送信する（図１の（２））。第１閾値は、第２閾値よりも大きい値であり、例えば、４００ＭＢである。第２閾値は、１つの画像を記憶するために必要な容量よりも大きい値であり、例えば、５０ＭＢである。なお、画像を記憶するために必要な容量とは、画像を記憶してもなお通信端末の各種機能が正常に利用できるだけの記憶容量が確保される容量をいう。また、第１通知メッセージは、通信端末の利用可能容量が第１閾値を下回ったこと、又は利用可能容量が少ないことを示すメッセージである。
【００２３】
通信端末は、撮像画面が表示された時の利用可能容量が第２閾値以下である場合（図１の（ii））、管理者の送信先に第２通知メッセージを送信するとともに、撮像画面の表示の終了を指示する（図１の（３））。第２通知メッセージは、通信端末の利用可能容量が第２閾値を下回ったこと、又は利用可能容量が著しく少ないことを示すメッセージである。
【００２４】
緊急操作は、通信端末に備えられる防犯ブザー機能を利用するための操作であり、通信端末が備えるピン等の物理スイッチを介した操作である。通信端末は、ユーザによる緊急操作に応じて、大音量のブザー音を発するとともに、利用可能容量にかかわらず画像を撮像して記憶し、撮像した画像と緊急メッセージとを管理者の送信先に送信する（図１の（１））。緊急メッセージは、防犯ブザーが鳴らされたことを示すメッセージである。なお、緊急メッセージは、第１メッセージの一例であり、緊急操作は、第２操作の一例である。
【００２５】
以上説明したように、本発明の一実施形態に係る通信端末は、撮像画面が表示された時の利用可能容量が、画像を記憶するために必要な容量よりも大きい値である第２閾値以下である場合、撮像画面の表示の終了を指示する。このようにすることで、通信端末は、緊急時に必要な記憶装置の容量を確保することを可能とする。すなわち、利用可能容量が少ない状態でユーザがカメラ機能を使用して画像を記憶装置に保存した場合、緊急操作がなされたときに記憶容量が不足して画像を保存して送信することができず、管理者に被管理者の詳細な状況を伝えることができなくなる。本発明の一実施形態に係る通信端末は、撮像画面が表示された時の利用可能容量が第２閾値以下である場合に撮像画面の表示の終了を指示して画像の撮像を禁止することにより、緊急時に画像を保存するための記憶装置の容量を適切に確保することができる。
【００２６】
また、本発明の一実施形態に係る通信端末は、撮像画面が表示された時の利用可能容量が第１閾値又は第２閾値以下である場合、メッセージの送信先に第１通知メッセージ又は第２通知メッセージを送信する。このようにすることで、通信端末は、記憶装置の容量が少なくなったことをあらかじめ管理者に通知し、管理者又はユーザに記憶装置の容量を管理させることにより緊急時に必要な記憶装置の容量を適切に確保することができる。
【００２７】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００２８】
（通信端末１の構成）
図２は、通信端末１の概略構成の一例を示す図である。通信端末１は、記憶部１１、撮像部１２、第１操作部１３、第２操作部１４、表示部１５、音声出力部１６、通信部１７及び処理部１８を備える。
【００２９】
記憶部１１は、プログラムまたはデータを記憶するためのデバイスであり、例えば、半導体メモリ装置である。記憶部１１は、処理部１８による処理に用いられるオペレーティングシステムプログラム、ドライバプログラム、アプリケーションプログラム、データ等を記憶する。プログラムは、例えば、ＣＤ−ＲＯＭ、ＤＶＤ−ＲＯＭ等のコンピュータ読み取り可能な可搬型記憶媒体から、公知のセットアッププログラム等を用いて記憶部１１にインストールされる。
【００３０】
撮像部１２は、結像光学系、撮像素子及び画像処理部等を備える。結像光学系は、例えば光学レンズであり、被写体からの光束を撮像素子の撮像面上に結像させる。撮像素子は、例えば、ＣＣＤ（Charge Coupled Device）又はＣＭＯＳ（Complementary Metal Oxide Semiconductor）等であり、撮像面上に結像した被写体像の画像信号を出力する。画像処理部は、撮像素子によって生成された画像信号から所定のファイル形式の画像データを生成して出力する。
【００３１】
第１操作部１３は、ユーザによる通信端末１に対する緊急操作を受付けるためのデバイスであり、例えば、ピン形状の物理スイッチである。第１操作部１３は、ピンが引き出されている状態と押し込まれている状態の２状態を有し、現在の状態を示す電気信号を定期的に処理部１８に供給する。
【００３２】
第２操作部１４は、ユーザによる通信端末１に対する操作を受付けるためのデバイスであり、例えば、後述する表示部１５と一体化されたタッチパネルである。第２操作部１４は、キーパッド又はボタン等でもよい。第２操作部１４は、ユーザによる文字、数字、記号等の入力操作を受付ける。第２操作部１４は、ユーザによる操作を受付けた場合、その操作に対応する信号を生成し、処理部１８に供給する。
【００３３】
表示部１５は、通信端末１のユーザに対して画像等を表示するデバイスであり、例えば、液晶ディスプレイや有機ＥＬディスプレイである。表示部１５は、処理部１８から供給されるデータに応じた画像等を表示する。
【００３４】
音声出力部１６は、例えば、スピーカである。音声出力部１６は、処理部１８から供給された電気信号を変換して音声出力する。
【００３５】
通信部１７は、ネットワークを介して通信端末１を他の通信端末と通信可能にする通信インタフェース回路を備える。通信部１７が備える通信インタフェース回路は、ＬＴＥ（Long Term Evolution）又は無線ＬＡＮの通信インタフェース回路等である。通信部１７は、処理部１８から供給されたデータ及び音声信号を他の通信端末に送信し、他の通信端末から受信したデータ及び音声信号を処理部１８に供給する。
【００３６】
処理部１８は、一又は複数個のプロセッサ及びその周辺回路を備える。処理部１８は、例えばＣＰＵ（Central Processing Unit）であり、通信端末１の動作を統括的に制御する。処理部１８は、ＤＳＰ（Digital Signal Processor）、ＬＳＩ（Large-Scaled IC）、ＡＳＩＣ（Application Specific Integrated Circuit）、ＦＰＧＡ（Field Programmable Gate Array）等でもよい。処理部１８は、記憶部１１に記憶されているプログラムや第１操作部１３及び第２操作部１４の操作に基づいて通信端末１の各種処理が適切な手順で実行されるように、表示部１５や通信部１７の動作を制御する。処理部１８は、記憶部１１に記憶されているプログラムに基づいて処理を実行する。また、処理部１８は、複数のプログラムを並列に実行することができる。
【００３７】
処理部１８は、緊急制御部１８１と、表示処理部１８２と、撮像処理部１８３と、メール処理部１８４と、容量取得部１８５と、通知送信部１８６と、制御部１８７とをその機能ブロックとして備える。これらの各部は、処理部１８によって実行されるプログラムによって実現される機能ブロックである。これらの各部は、ファームウェアとして通信端末１に実装されてもよい。なお、緊急制御部１８１は制御部の一例である。
【００３８】
図３は、通信端末１の外観について説明するための模式図である。
【００３９】
通信端末１は、その表面に表示部１５、表示部１５と一体化された第２操作部１４としてのタッチパネル１４１、及び第２操作部１４としての物理ボタン１４２を備える。また、通信端末１は、その側面に１つのピン状の物理スイッチである第１操作部１３を備える。第１操作部１３には、ストラップ１３１が結わえ付けられており、ユーザは、ストラップ１３１を引くことにより第１操作部１３を引き出す操作をすることができる。なお、第２操作部１４としての物理ボタン１４２は、通信端末１の側面にさらに備えられてもよい。
【００４０】
（各種データの説明）
図４は、記憶部１１に記憶される、複数の送信先を管理する送信先テーブルＴ１のデータ構造の一例を示す図である。送信先テーブルＴ１は、ＩＤ、名称、電話番号、メールアドレス、管理者フラグ、通知フラグ等を互いに関連付けて記憶している。
【００４１】
ＩＤは、送信先テーブルＴ１に記憶された各送信先を識別するための識別情報である。名称は、各送信先の名称であり、例えば、各送信先に対応する通信端末の所有者の氏名等である。電話番号及びメールアドレスは、送信先の一例である。管理者フラグは、各送信先が保護者等の管理者の送信先であるか否かを示す情報である。通知フラグは、管理者の送信先についてのみ設定され、第１通知メッセージ及び第２通知メッセージを送信するか否かを設定する情報である。送信先テーブルＴ１は、管理者が第２操作部１４を操作してデータを入力することにより記憶されてもよく、通信部１７が外部サーバ（不図示）に予め登録されたデータを受信することにより記憶されてもよい。
【００４２】
（各種画面の説明）
図５は、表示部１５に表示されるホーム画面５００の一例を示す図である。ホーム画面５００は、通信端末１が起動された時に最初に表示される画面である。ホーム画面５００は、ユーザによって物理ボタン１４２が押されるたびに表示されてもよい。
【００４３】
ホーム画面５００は、カメラ起動オブジェクト５０１と、メール起動オブジェクト５０２と、連絡先起動オブジェクト５０３とを含む。カメラ起動オブジェクト５０１、メール起動オブジェクト５０２及び連絡先起動オブジェクト５０３は、記憶部１１に記憶されたカメラアプリケーション、メールアプリケーション及び連絡先アプリケーションをそれぞれ起動するためのオブジェクトである。
【００４４】
図６（ａ）は、表示部１５に表示されるカメラ画面６００の一例を示す図である。カメラ画面６００は、ホーム画面５００が表示されている状態で、ユーザによる、カメラ起動オブジェクト５０１を選択するカメラ起動操作に応じて撮像部１２が起動した時に表示される。
【００４５】
カメラ画面６００は、撮像画像６０１と、撮像オブジェクト６０２と、モード変更オブジェクト６０３とを含む。撮像画像６０１は、撮像対象となる画像である。ユーザによって撮像オブジェクト６０２を選択する撮像操作がなされた場合、撮像操作がなされた時に撮像画像６０１として表示されていた画像が撮像され、記憶部１１に記憶される。モード変更オブジェクト６０３は、静止画像撮像モードと動画像撮像モードとを切り替えるためのオブジェクトである。撮像部１２は、静止画像撮像モードでは静止画像を撮像可能であり、動画像撮像モードでは動画像を撮像可能である。図６（ａ）に示す例では、撮像部１２は静止画像撮像モードであり、ユーザによるモード変更オブジェクト６０３を選択する操作に応じて動画像撮像モードに変更されることが示されている。なお、カメラ画面６００は、撮像画面の一例であり、撮像操作は第３操作の一例である。
【００４６】
図６（ｂ）は、表示部１５に表示されるカメラ画面６１０の一例を示す図である。カメラ画面６１０は、カメラ画面６００が表示された時の利用可能容量が第１閾値以下であり且つ第２閾値より大きい場合、カメラ画面６００に代わり表示される。
【００４７】
カメラ画面６１０は、カメラ画面６００に第１警告メッセージ６１１と第１確認ボタン６１２とが重畳された画面である。第１警告メッセージ６１１は、記憶部１１の記憶容量が少ないことを示すメッセージである。第１警告メッセージ６１１は、記憶部１１の記憶容量が第１閾値以下であること、又は記憶容量の値を示すメッセージでもよい。第１確認ボタン６１２は、ユーザが第１警告メッセージを確認したことを示すためのボタンである。ユーザによる第１確認ボタン６１２を選択する操作がなされると、第１警告メッセージ６１１及び第１確認ボタン６１２が消去され、カメラ画面６００が表示される。なお、第１警告メッセージは、第１表示メッセージの一例である。
【００４８】
なお、第１警告メッセージ６１１及び第１確認ボタン６１２は、利用可能容量が第１閾値以下になってから一度だけ表示される。すなわち、カメラ画面６１０において、ユーザが第１確認ボタン６１２を選択してカメラ画面６００が表示された後にホーム画面５００に戻り、その後にカメラ起動操作がなされたとしてもカメラ画面６１０は表示されず、カメラ画面６００が表示される。
【００４９】
図６（ｃ）は、表示部１５に表示されるカメラ画面６２０の一例を示す図である。カメラ画面６２０は、カメラ画面６００が表示された時の利用可能容量が第２閾値以下である場合、カメラ画面６００に代わり表示される。
【００５０】
カメラ画面６２０は、カメラ画面６００に第２警告メッセージ６２１と第２確認ボタン６２２とが重畳された画面である。第２警告メッセージ６２１は、記憶部１１の記憶容量が著しく少ないために撮像することができないことを示すメッセージである。第２警告メッセージ６２１は、記憶部１１の記憶容量が第２閾値以下であること、又は記憶容量の値を示すメッセージでもよい。第２確認ボタン６２２は、ユーザが第２警告メッセージ６２１を確認したことを示すためのボタンである。ユーザによる第２確認ボタン６２２を選択する操作がなされると、第２警告メッセージ６２１及び第２確認ボタン６２２が消去されるとともに、カメラ画面６００の表示の終了が指示され、ホーム画面５００が表示される。なお、第２警告メッセージは、第２表示メッセージの一例である。
【００５１】
なお、通信端末１は複数のアプリケーションを同時に（バックグラウンドで）実行するため、カメラ画面６００が表示されている時に利用可能容量が変動することがある。例えば、カメラ画面６００が表示されている時にメールを受信することで、利用可能容量が変動する。カメラ画面６００が表示されている時に利用可能容量が第２閾値以下となった場合、ユーザによる撮像操作に応じて撮像された画像が記憶された後にカメラ画面６２０が表示される。このようにすることで、撮影中に利用可能容量が低下してもユーザは必ず１枚の写真を撮影することができ、ユーザ体験を損なうことなく記憶装置の容量を確保することができる。
【００５２】
図６（ｄ）は、表示部１５に表示されるカメラ画面６３０の一例を示す図である。カメラ画面６３０は、カメラ画面６００においてユーザによるモード変更オブジェクト６０３を選択する操作がなされたことに応じて表示される、動画像撮像モードに対応する画面である。
【００５３】
カメラ画面６３０は、撮像画像６３１と、撮像開始オブジェクト６３２と、モード変更オブジェクト６３３と、撮像時間６３４とを含む。撮像画像６３１は、撮像対象となる画像である。ユーザによる撮像開始オブジェクト６３２を選択する操作がなされた場合、その操作以降に撮像画像６３１として表示される画像によって構成される動画像が撮像される。また、撮像開始オブジェクト６３２を選択する操作がなされてからの経過時間が撮像時間６３４として表示される。モード変更オブジェクト６３３は、静止画像撮像モードと動画像撮像モードとを切り替えるためのオブジェクトである。
【００５４】
図７（ａ）は、表示部１５に表示されるメール画面７００の一例を示す図である。メール画面７００は、ホーム画面５００が表示されている状態で、ユーザによる、メール起動オブジェクト５０２を選択するメール起動操作に応じて表示される。なお、メール画面７００は、メッセージ画面の一例である。
【００５５】
メール画面７００は、１つ以上のスレッド表示オブジェクト７０１を含む。スレッド表示オブジェクト７０１は、メールの送受信先ごとに設けられ、各送受信先とのメールの内容を一覧する画面であるスレッド画面７３０を表示するためのオブジェクトである。
【００５６】
図７（ｂ）は、表示部１５に表示されるメール画面７１０の一例を示す図である。メール画面７１０は、メール起動オブジェクト５０２が選択された時の利用可能容量が第１閾値以下であり且つ第２閾値よりも大きい場合、メール画面７００に代わり表示される。
【００５７】
メール画面７１０は、メール画面７００に第１警告メッセージ７１１と第１確認ボタン７１２とが重畳された画面である。第１警告メッセージ７１１は、通信端末１の利用者に注意を促すために表示される、記憶部１１の記憶容量が少ないことを示すメッセージである。第１警告メッセージ７１１は、記憶部１１の記憶容量が第１閾値以下であること、又は記憶容量の値を示すメッセージでもよい。第１確認ボタン７１２は、ユーザが第１警告メッセージ７１１を確認したことを示すためのボタンである。ユーザによる第１確認ボタン７１２を選択する操作がなされると、第１警告メッセージ７１１及び第１確認ボタン７１２が消去され、メール画面７００が表示される。
【００５８】
なお、メール画面７１０は、カメラ画面６１０と同様、利用可能容量が第１閾値以下になってから一度だけ表示される。
【００５９】
図７（ｃ）は、表示部１５に表示されるメール画面７２０の一例を示す図である。メール画面７２０は、メール起動オブジェクト５０２が選択された時の利用可能容量が第２閾値以下である場合、メール画面７００に代わり表示される。
【００６０】
メール画面７２０は、メール画面７００に第２警告メッセージ７２１と第２確認ボタン７２２とが重畳された画面である。第２警告メッセージ７２１は、記憶部１１の記憶容量が著しく少ないためにメールを送受信できないことを示すメッセージである。第２警告メッセージ７２１は、記憶部１１の記憶容量が第２閾値以下であること、又は記憶容量の値を示すメッセージでもよい。第２確認ボタン７２２は、ユーザが第２警告メッセージ７２１を確認したことを示すためのボタンである。ユーザによる第２確認ボタン７２２を選択する操作がなされると、第２警告メッセージ７２１及び第２確認ボタン７２２が消去され、メール画面７００が表示される。
【００６１】
図７（ｄ）は、表示部１５に表示されるスレッド画面７３０の一例を示す図である。スレッド画面７３０は、ユーザによるスレッド表示オブジェクト７０１を選択する操作に応じて表示される。
【００６２】
スレッド画面７３０は、戻るボタン７３１とメール内容７３２とテキスト入力ボックス７３３と送信ボタン７３４とを含む。戻るボタン７３１は、メール画面７００を表示するためのボタンである。メール内容７３２は、送受信したメールの内容を吹き出し形式で表示するものである。テキスト入力ボックス７３３は、ユーザがメールの内容であるテキストを入力するためのオブジェクトである。送信ボタン７３４は、テキスト入力ボックス７３３に入力されたテキストを内容とするメールを送信するためのボタンである。なお、スレッド画面７３０が表示された時の利用可能容量が第２閾値以下である場合、送信ボタン７３４は選択できない態様で表示され、送信ボタン７３４を選択する操作に基づくメールの送信が制限される。送信ボタン７３４が選択できない態様で表示されるか否かは、メール画面７００が表示された時の利用可能容量に基づいて決定されてもよい。
【００６３】
なお、スレッド画面７３０が表示された時の利用可能容量が第２閾値以下である場合、メール画面７２０と同様に第２警告メッセージ及び第２確認ボタンがスレッド画面７３０に重畳される。また、ユーザによって戻るボタン７３１が選択された時の利用可能容量が第２閾値以下である場合、メール画面７００に代わりメール画面７２０が表示される。すなわち、利用可能容量が第２閾値以下である場合、画面が遷移するたびに遷移後の画面に第２警告メッセージ及び第２確認ボタンが表示される。
【００６４】
（各種処理の流れ）
図８は、通信端末１による緊急制御処理の流れの一例を示すフロー図であり、図９は、通信端末１によるホーム画面処理の流れの一例を示すフロー図である。緊急制御処理及びホーム画面処理は、互いに非同期に並行して実行される。また、これらの処理は、あらかじめ記憶部１１に記憶されているプログラムに基づいて、処理部１８が通信端末１の各構成要素と協働することにより実行される。
【００６５】
まず、図８を参照して緊急制御処理について説明する。まず、通信端末１の緊急制御部１８１は、ユーザによる緊急操作を受付ける（Ｓ１０１）。緊急制御部１８１は、第１操作部１３の状態を監視する。
【００６６】
緊急制御部１８１は、ユーザによる緊急操作があったか否かを判定する（Ｓ１０２）。緊急制御部１８１は、ピン形状の第１操作部１３が押し込まれた状態から引き出された状態に遷移したか否かを判定する。
【００６７】
緊急制御部１８１は、緊急操作があったと判定した場合（Ｓ１０２−Ｙ）、音声出力部１６を介してブザー音を発生させる（Ｓ１０３）。緊急制御部１８１は、第１操作部１３が再び押し込まれた状態に遷移するまでブザー音を継続して発生させる。緊急制御部１８１は、緊急操作がなかったと判定した場合（Ｓ１０２−Ｎ）、Ｓ１０１に戻り、継続して緊急操作を受付ける。なお、「Ｙ」及び「Ｎ」は、それぞれ判定結果が「Ｙｅｓ」及び「Ｎｏ」であることを意味し、以降も同様とする。
【００６８】
続いて、緊急制御部１８１は、撮像部１２を起動して、画像を撮像させる（Ｓ１０４）。緊急制御部１８１は、記憶部１１の利用可能容量にかかわらず、画像を撮像させる。緊急制御部１８１によって撮像される画像は、静止画像でもよく、所定長の動画像でもよい。
【００６９】
続いて、緊急制御部１８１は、記憶済フラグが設定されているか否かを判定する（Ｓ１０５）。記憶済フラグは、記憶部１１において設定されるフラグであり、後述するように、緊急操作に応じて撮像された画像が記憶された後に利用可能容量が第２閾値以下である場合に設定されるフラグである。
【００７０】
緊急制御部１８１は、記憶済フラグが設定されていないと判定した場合（Ｓ１０５−Ｎ）、撮像した撮像画像を記憶部１１に記憶する（Ｓ１０６）。このように、通信端末１は、記憶済フラグに応じて画像を記憶することにより、利用可能容量が少ない場合でも少なくとも１つの撮像画像を記憶しつつ、緊急操作が複数回行われた場合に大量の画像が記憶されて通信端末１の動作に影響することを防ぐことができる。なお、記憶済フラグが設定されていると判定した場合（Ｓ１０５−Ｙ）、緊急制御処理はＳ１０７に進む。
【００７１】
続いて、緊急制御部１８１は、撮像画像と緊急メッセージとを管理者の送信先に送信する（Ｓ１０７）。緊急制御部１８１は、送信先テーブルＴ１を参照して、管理者の電話番号またはメールアドレスを送信先として取得する。続いて、緊急制御部１８１は、撮像画像を添付した、緊急メッセージを含む電子メール又はＳＭＳ（Short Message Service）を取得した送信先に送信する。
【００７２】
続いて、緊急制御部１８１は、利用可能容量が第２閾値以下であるか否かを判定し（Ｓ１０８）、第２閾値以下であると判定した場合（Ｓ１０８−Ｙ）、記憶済フラグを設定し（Ｓ１０９）、一連の処理を終了する。
【００７３】
続いて、図９を参照してホーム画面処理について説明する。まず、表示処理部１８２は、ホーム画面５００を表示する（Ｓ２０１）。例えば、表示処理部１８２は、通信端末１の電源が入って通信端末１が起動したこと、又は、ユーザによる物理ボタン１４２を押す操作に応じて、表示部１５にホーム画面５００を表示する。
【００７４】
続いて、表示処理部１８２は、ユーザによる第２操作部１４に対する操作を受付ける（Ｓ２０２）。
【００７５】
表示処理部１８２は、ユーザによる操作があった場合、その操作がカメラ起動操作であるか否かを判定する（Ｓ２０３）。カメラ起動操作であると判定した場合（Ｓ２０３−Ｙ）、カメラ画面表示処理が実行される（Ｓ２０４）。カメラ画面表示処理の詳細は後述する。
【００７６】
表示処理部１８２は、ユーザによる操作がカメラ起動操作でないと判定した場合（Ｓ２０３−Ｎ）、その操作がメール起動操作であるか否かを判定する（Ｓ２０５）。メール起動操作であると判定した場合（Ｓ２０５−Ｙ）、メール画面表示処理が実行される（Ｓ２０７）。メール画面表示処理の詳細は後述する。
【００７７】
ユーザによる操作がメール起動操作でないと判定した場合（Ｓ２０５−Ｎ）、その操作に応じた処理が実行される（Ｓ２０６）。操作に応じた処理は、例えば、連絡先起動オブジェクト５０３を選択する操作に応じて連絡先アプリケーションを起動する処理等である。Ｓ２０４、Ｓ２０６又はＳ２０７の処理が実行された後、表示処理部１８２は再びホーム画面を表示する（Ｓ２０１）。
【００７８】
図１０は、カメラ画面表示処理の流れの一例を示すフロー図である。カメラ画面表示処理は、ホーム画面処理のＳ２０４において実行される。
【００７９】
まず、表示処理部１８２がカメラ起動操作を受付けたことに応じて、撮像処理部１８３は、撮像部を起動するとともに、表示部１５にカメラ画面６００を表示する（Ｓ３０１）。
【００８０】
続いて、容量取得部１８５は、カメラ画面６００が表示された時の利用可能容量を取得する（Ｓ３０２）。
【００８１】
利用可能容量が第２閾値以下である場合（Ｓ３０３−Ｙ）、通知送信部１８６は、管理者の送信先に第２通知メッセージを送信する（Ｓ３０４）。通知送信部１８６は、連絡先テーブルＴ１を参照し、管理者フラグが設定されている電話番号又はメールアドレスを送信先として取得する。続いて、通知送信部１８６は、取得した送信先に通知フラグが設定されているか否か（すなわち、「通知有」であるか否か）を判定する。通知フラグが設定されていると判定された場合、通知送信部１８６は、通信部１７を介して、取得した送信先に第２通知メッセージを送信する。なお、通知フラグが設定されていないと判定した場合、通知送信部１８６は第２通知メッセージを送信しない。
【００８２】
続いて、制御部１８７は、表示部１５に第２警告メッセージを表示する（Ｓ３０５）。制御部１８７は、カメラ画面６００に第２警告メッセージ６２１及び第２確認ボタン６２２を重畳して、カメラ画面６２０を表示する。なお、Ｓ３０４及びＳ３０５の処理は同時に実行されてもよく、Ｓ３０５の処理の後にＳ３０４の処理が実行されてもよい。
【００８３】
続いて、制御部１８７は、撮像処理部１８３にカメラ画面６００の表示の終了を指示し（Ｓ３０６）、カメラ画面表示処理を終了する。制御部１８７は、ユーザによる第２確認ボタン６２２を選択する操作に応じて、第２警告メッセージ６２１及び第２確認ボタン６２２を消去するとともに、撮像処理部１８３にカメラ画面６００の表示の終了を指示する。
【００８４】
利用可能容量が第１閾値以下であり且つ第２閾値よりも大きい場合（Ｓ３０３−Ｎ、Ｓ３０７−Ｙ）、通知送信部１８６は、通知済フラグが設定されているか否かを判定する（Ｓ３０８）。通知済フラグは、利用可能容量が第１閾値以下となってから第１通知メッセージが送信された場合に設定されるフラグである。
【００８５】
通知済フラグが設定されていないと判定した場合（Ｓ３０８−Ｎ）、通知送信部１８６は、管理者の送信先に第１通知メッセージを送信する（Ｓ３０９）。第１通知メッセージは、第２通知メッセージと同様に、管理者に通知フラグが設定されている場合に送信される。
【００８６】
続いて、制御部１８７は、表示部１５に第１警告メッセージを表示する（Ｓ３１０）。カメラ画面６００に第１警告メッセージ６１１及び第１確認ボタン６１２を重畳して、カメラ画面６１０を表示する。なお、Ｓ３０９及びＳ３１０の処理は同時に実行されてもよく、Ｓ３１０の処理の後にＳ３０９の処理が実行されてもよい。
【００８７】
Ｓ３１０の後に、又は、利用可能容量が第１閾値より大きい場合（Ｓ３０７−Ｎ）若しくは通知済フラグが設定されていると判定された場合（Ｓ３０８−Ｙ）、撮像処理が実行され（Ｓ３１１）、カメラ画面表示処理は終了する。撮像処理の詳細は後述する。
【００８８】
なお、カメラ画面表示処理において、通知送信部１８６は、通知済フラグが設定されているか否かに拘らず第１通知メッセージを送信してもよい。この場合、Ｓ３０８は実行されず、カメラ画面６００が表示された時の利用可能容量が第１閾値以下である場合（Ｓ３０７−Ｙ）、Ｓ３０９とＳ３１０が実行される。このようにすることで、通信端末１は、ユーザ又は管理者に記憶装置の容量を管理することをより強く促すことができ、記憶装置の容量を確保することを可能とする。なお、Ｓ３０９及びＳ３１０の処理は同時又は任意の順序で実行されてよい。
【００８９】
図１１は、撮像処理の流れの一例を示すフロー図である。撮像処理は、カメラ起動処理のＳ３１１において実行される。撮像処理が開始される時には、表示部１５にはカメラ画面６００が表示されている。
【００９０】
まず、容量取得部１８５は、カメラ画面６００が表示された後の利用可能容量を取得する（Ｓ４０１）。
【００９１】
制御部１８７は、取得された利用可能容量が第２閾値以下である場合（Ｓ４０２−Ｙ）、撮像禁止フラグを設定する（Ｓ４０３）。撮像禁止フラグは、カメラ画面６００が表示された後に利用可能容量が第２閾値以下になった場合に設定されるフラグである。
【００９２】
Ｓ４０３の後、又は、利用可能容量が第２閾値より大きい場合（Ｓ４０２−Ｎ）、撮像処理部１８３は、ユーザによる第２操作部１４に対する操作を受付ける（Ｓ４０４）。撮像処理部１８３は、ユーザによる撮像操作又はカメラ画面６００の表示を終了させる終了操作の何れかを受付ける。なお、撮像処理部１８３は、モード変更オブジェクト６０３を選択する操作等の他の操作を受付けてもよい。
【００９３】
撮像処理部１８３は、撮像操作を受付けた場合（Ｓ４０５−Ｙ）、画像を撮像し、撮像画像を記憶部１１に記憶する（Ｓ４０６）。撮像処理部１８３は、撮像操作でない操作を受付けた場合（Ｓ４０５−Ｎ）、すなわち、終了操作を受付けた場合、カメラ画面６００の表示を終了し、撮像処理を終了する。なお、撮像処理部１８３は、撮像操作及び終了操作とは異なる操作を受付けた場合は、その操作に対応する処理を実行してもよい。
【００９４】
続いて、制御部１８７は、撮像禁止フラグが設定されているか否かを判定する（Ｓ４０７）。制御部１８７は、撮像禁止フラグが設定されていないと判定した場合（Ｓ４０７−Ｎ）、Ｓ４０１に戻る。
【００９５】
制御部１８７は、撮像禁止フラグが設定されていると判定した場合（Ｓ４０７−Ｙ）、第２警告メッセージを表示し（Ｓ４０８）、撮像処理を終了する。制御部１８７は、カメラ画面６００に第２警告メッセージ６２１及び第２確認ボタン６２２を重畳して、カメラ画面６２０を表示する。制御部１８７は、第２確認ボタン６２２を選択する操作に応じて、第２警告メッセージ６２１及び第２確認ボタン６２２を消去するとともに、撮像処理部１８３にカメラ画面６００の表示の終了を指示する。
【００９６】
図１２は、メール画面表示処理の流れの一例を示すフロー図である。メール画面表示処理は、ホーム画面処理のＳ２０７において実行される。
【００９７】
まず、メール処理部１８４は、メール画面７００を表示する（Ｓ５０１）。
【００９８】
続いて、容量取得部１８５は、メール画面７００が表示された時の利用可能容量を取得する（Ｓ５０２）。
【００９９】
通知送信部１８６は、取得された利用可能容量が第２閾値以下である場合（Ｓ５０３−Ｙ）、図１０のＳ３０４と同様に、管理者の送信先に第２通知メッセージを送信する（Ｓ５０４）。
【０１００】
続いて、制御部１８７は、表示部１５に第２警告メッセージを表示する（Ｓ５０５）。制御部１８７は、メール画面７００に第２警告メッセージ７２１及び第２確認ボタン７２２を重畳して、メール画面７２０を表示する。なお、Ｓ５０４及びＳ５０５の処理は同時に実行されてもよく、Ｓ５０５の処理の後にＳ５０４の処理が実行されてもよい。
【０１０１】
通知送信部１８６は、利用可能容量が第１閾値以下であり且つ第２閾値より大きい場合（Ｓ５０３−Ｎ、Ｓ５０６−Ｙ）、通知済フラグが設定されているか否かを判定する（Ｓ５０７）。
【０１０２】
通知送信部１８６は、通知済フラグが設定されていないと判定した場合（Ｓ５０７−Ｎ）、図１０のＳ３０８と同様に、第１通知メッセージを送信する（Ｓ５０８）。
【０１０３】
続いて、制御部１８７は、表示部１５に第１警告メッセージを表示する（Ｓ５０９）。制御部１８７は、メール画面７００に第１警告メッセージ７１１及び第１確認ボタン７１２を重畳して、メール画面７１０を表示する。なお、Ｓ５０８及びＳ５０９の処理は同時に実行されてもよく、Ｓ５０９の処理の後にＳ５０８の処理が実行されてもよい。
【０１０４】
Ｓ５０５若しくはＳ５０９の後、又は、取得された利用可能容量が第１閾値より大きい場合（Ｓ５０６−Ｎ）、メール処理部１８４は、ユーザによる第２操作部１４に対する操作を受付ける（Ｓ５１０）。メール処理部１８４は、ユーザによる画面遷移操作又はメール画面７００の表示を終了させる終了操作を受付ける。画面遷移操作は、メール画面７００においてスレッド表示オブジェクト７０１を選択する操作又はスレッド画面７３０において戻るボタン７３１を選択する操作である。
【０１０５】
メール処理部１８４は、画面遷移操作を受付けた場合（Ｓ５１１−Ｙ）、画面遷移処理を実行し（Ｓ５１２）、Ｓ５１０へ戻る。画面遷移処理の詳細は後述する。
【０１０６】
メール処理部１８４は、受付けた操作が遷移操作でない場合（Ｓ５１１−Ｎ）、すなわち終了操作である場合、メール画面７００又はスレッド画面７３０の表示を終了し、メール画面表示処理を終了する。
【０１０７】
図１３は、画面遷移処理の流れの一例を示すフロー図である。画面遷移処理は、メール画面表示処理のＳ５１２において実行される。
【０１０８】
まず、メール処理部１８４は、画面遷移操作がスレッド画面７３０への遷移操作であるか否かを判定する（Ｓ６０１）。メール処理部１８４は、メール画面表示処理のＳ５１０で受け付けた画面遷移操作がメール画面７００においてスレッド表示オブジェクト７０１を選択する操作である場合に、画面遷移操作がスレッド画面７３０への遷移操作であると判定する。メール処理部１８４は、受付けた画面遷移操作がスレッド画面７３０において戻るボタン７３１を選択する操作である場合に、画面遷移操作がスレッド画面７３０への表示操作でない、すなわち、メール画面７００への遷移操作であると判定する。
【０１０９】
続いて、メール処理部１８４は、画面遷移操作がスレッド画面７３０への遷移操作である場合（Ｓ６０１−Ｙ）、スレッド画面７３０を表示する（Ｓ６０２）。メール処理部１８４は、選択されたスレッド表示オブジェクト７０１に対応するスレッド画面７３０を表示する。
【０１１０】
続いて、容量取得部１８５は、スレッド画面７３０が表示された時の利用可能容量を取得する（Ｓ６０３）。
【０１１１】
利用可能容量が第２閾値以下である場合（Ｓ６０４−Ｙ）、制御部１８７は、第２警告メッセージを表示する（Ｓ６０５）。制御部１８７は、第２警告メッセージと第２確認ボタンをスレッド画面７３０に重畳して表示する。
【０１１２】
続いて、制御部１８７は、メールの送信を制限し（Ｓ６０６）、画面遷移処理を終了する。制御部１８７は、メール処理部１８４に、スレッド画面７３０の送信ボタン７３４を選択できない態様で表示させることにより、スレッド画面７３０における、ユーザによるメールの送信を制限する。
【０１１３】
利用可能容量が第２閾値より大きい場合（Ｓ６０４−Ｎ）、画面遷移処理は終了する。
【０１１４】
メール処理部１８４は、画面遷移操作がスレッド画面７３０への遷移操作でない場合（Ｓ６０１−Ｎ）、すなわち、画面遷移操作がメール画面７００への遷移操作である場合、メール画面７００を表示する（Ｓ６０７）。
【０１１５】
続いて、容量取得部１８５は、メール画面７００が表示された時の利用可能容量を取得する（Ｓ６０８）。
【０１１６】
利用可能容量が第２閾値以下である場合（Ｓ６０９−Ｙ）、制御部１８７は、第２警告メッセージを表示し（Ｓ６１０）、画面遷移処理を終了する。制御部１８７は、メール画面７００に第２警告メッセージと第２確認ボタンを重畳してメール画面７２０を表示する。
【０１１７】
利用可能容量が第２閾値より大きい場合（Ｓ６０９−Ｎ）、画面遷移処理は終了する。
【０１１８】
なお、Ｓ６０３及びＳ６０８において利用可能容量を取得せずに、メール画面表示処理のＳ５０１で取得したメール画面７００が表示された時の利用可能容量が用いられてもよい。
【０１１９】
以上説明したように、通信端末１は、カメラ画面６００が表示された時の利用可能容量が、画像を記憶するために必要な容量よりも大きい値である第２閾値以下である場合、カメラ画面６００の表示の終了を指示する。このようにすることで、通信端末１は、緊急時に必要な記憶装置の容量を適切に確保することを可能とする。
【０１２０】
また、通信端末１は、カメラ画面６００が表示された時の利用可能容量が第１閾値又は第２閾値以下である場合、第１警告メッセージ又は第２警告メッセージを表示部１５に表示する。このようにすることで、通信端末１は、ユーザに対して利用可能容量の確保を促し、記憶装置の容量を適切に確保することを可能とする。
【０１２１】
また、通信端末１は、カメラ画面６００が表示された後に利用可能容量が第２閾値以下になった場合、ユーザによる撮像操作に応じて画像が撮像され、撮像画像が記憶された後に第２通知メッセージを送信し、カメラ画面６００の表示の終了を指示する。このようにすることで、通信端末１は、写真を撮影しようとしてカメラ起動操作をしたユーザのユーザ体験を損なうことなく適切に記憶装置の容量を管理することを可能とする。
【０１２２】
また、通信端末１は、メール画面７００又はスレッド画面７３０が表示された時の利用可能容量が第２閾値以下である場合、ユーザによるこれらの画面における操作に基づくメールの送信を制限する。このようにすることで、通信端末１は、緊急時に必要な記憶装置の容量を適切に確保することを可能とする。
【０１２３】
なお、上述した説明では、容量取得部１８５は、各種画面が表示された後にそれらの画面が表示された時の利用可能容量を取得したが、これに限られない。例えば、容量取得部１８５は、ユーザによる各種画面を表示する操作が受付けられた後且つそれらの画面が表示される前に利用可能容量を取得し、これを各種画面が表示された時の利用可能容量としてもよい。また、容量取得部１８５は、定期的に利用可能容量を取得し、各種画面が表示された時において最新に取得された利用可能容量をそれらの画面が表示された時の利用可能容量としてもよい。
【０１２４】
（変形例１）
上述した説明では、撮像部１２はカメラ起動操作に応じて静止画像撮像モードで起動され、モード変更オブジェクト６０３に対する操作により撮像モードが動画像撮像モードに変更された。しかしながら、撮像部１２はユーザの選択に応じて動画像撮像モード又は静止画像撮像モードで起動可能であってもよい。また、この場合において、利用可能容量が第２閾値以下である場合には、撮像部１２は静止画像撮像モードで起動されるようにしてもよい。
【０１２５】
この場合、図１０のカメラ画面表示処理のＳ３０１の前に撮像モード決定処理が行われる。図１４は、撮像モード決定処理の流れの一例を示すフロー図である。
【０１２６】
まず、容量取得部１８５は、カメラ起動操作がなされた時の利用可能容量を取得する（Ｓ７０１）。続いて、制御部１８７は、取得された利用可能容量が第１閾値以下である場合（Ｓ７０２−Ｙ）、静止画像撮像モードでの撮像部１２の起動を撮像処理部１８３に指示し（Ｓ７０３）、撮像モード決定処理を終了する。
【０１２７】
制御部１８７は、取得された利用可能容量が第１閾値より大きい場合（Ｓ７０２−Ｎ）、ユーザの選択に応じて静止画像撮像モード又は動画像撮像モードでの撮像部１２の起動を撮像処理部１８３に指示し、撮像モード決定処理を終了する。すなわち、制御部１８７は、ユーザが静止画像撮像モードを選択した場合（Ｓ７０４−Ｙ）、静止画像撮像モードでの撮像部１２の起動を撮像処理部１８３に指示する（Ｓ７０３）。また、制御部１８７は、ユーザが動画像撮像モードを選択した場合（Ｓ７０４−Ｎ）、動画像撮像モードでの撮像部１２の起動を撮像処理部１８３に指示する（Ｓ７０５）。
【０１２８】
なお、制御部１８７は、カメラ起動操作がなされる前に撮像部１２が何れの撮像モードで起動するかのユーザによる選択をあらかじめ受付けてもよい。例えば、制御部１８７は、図示しない設定画面において撮像部１２の起動時の撮像モードの指定を受付ける。また、制御部１８７は、直前にカメラ画面６００の表示が終了した時の撮像モードをユーザによる選択として、その撮像モードで撮像部１２が起動するように指示してもよい。
【０１２９】
このようにすることで、通信端末１は、ユーザに円滑に静止画像の撮像を開始させることで、ユーザ体験を損なうことを防ぎながら、多くの記憶容量を必要とする動画像の撮像を制限することで記憶装置の容量を適切に確保することを可能とする。
【０１３０】
（変形例２）
上述した説明では、動画像撮像モードに対応するカメラ画面６３０には撮像時間６３４が表示されたが、これに加えて、又はこれに代えて、撮像可能時間６３５が表示されてもよい。
【０１３１】
図１５は、表示部１５に表示される、撮像可能時間６３５を含むカメラ画面６４０の一例を示す図である。カメラ画面６４０は、動画像撮像モードに対応するカメラ画面６３０が表示された時の利用可能容量が第１閾値以下であり且つ第２閾値より大きい場合に表示される。
【０１３２】
撮像可能時間６３５は、動画像の撮像が可能な時間であり、現在の利用可能容量と第２閾値との差分及び動画像の解像度等に基づいて算出される。ユーザが撮像開始オブジェクト６３２を選択して撮像が開始され、撮像時間６３４が増加するに伴い、撮像可能時間６３５は減少する。
【０１３３】
図１６は、撮像可能時間表示処理の流れの一例を示すフロー図である。撮像可能時間表示処理は、カメラ画面６００におけるモード変更オブジェクト６０３を選択する操作に応じて実行される。
【０１３４】
まず、容量取得部１８５は、モード変更オブジェクトが選択された時の利用可能容量を取得する（Ｓ８０１）。制御部１８７は、利用可能容量が第１閾値より大きい場合（Ｓ８０２−Ｎ）、撮像可能時間表示処理を終了する。
【０１３５】
制御部１８７は、利用可能容量が第１閾値以下である場合（Ｓ８０２−Ｙ）、撮像可能時間を取得する（Ｓ８０３）。制御部１８７は、利用可能容量と第２閾値との差分を算出する。続いて、制御部１８７は、算出した差分を動画像の単位時間当たりの記憶容量で除することにより、撮像可能時間を算出することにより取得する。なお、単位時間当たりの記憶容量は、あらかじめ設定された概略値である。
【０１３６】
続いて、制御部１８７は、算出した撮像可能時間を含むカメラ画面６４０の表示を撮像処理部１８３に指示し（Ｓ８０４）、撮像可能時間表示処理を終了する。なお、撮像可能時間の算出はモード変更オブジェクト６０３が選択された時に一度だけ行われてもよく、カメラ画面６４０が表示されている間に定期又は不定期に繰り返され、撮像可能時間６３５が更新されるようにしてもよい。
【０１３７】
このようにすることで、通信端末１は動画像の撮像が可能な時間をあらかじめユーザに示すことで、ユーザ体験を損なうことを防ぎながら、記憶装置の容量を適切に確保する。
【０１３８】
当業者は、本発明の精神および範囲から外れることなく、様々な変更、置換及び修正をこれに加えることが可能であることを理解されたい。例えば、上述した各部の処理は、本発明の範囲において、適宜に異なる順序で実行されてもよい。また、上述した実施形態及び変形例は、本発明の範囲において、適宜に組み合わせて実施されてもよい。
【符号の説明】
【０１３９】
１    通信端末
１８１    緊急制御部
１８５    容量取得部
１８６    通知送信部
１８７    制御部
【図１】
2020202440.tif 000003
【図２】
2020202440.tif 000004
【図３】
2020202440.tif 000005
【図４】
2020202440.tif 000006
【図５】
2020202440.tif 000007
【図６】
2020202440.tif 000008
【図７】
2020202440.tif 000009
【図８】
2020202440.tif 000010
【図９】
2020202440.tif 000011
【図１０】
2020202440.tif 000012
【図１１】
2020202440.tif 000013
【図１２】
2020202440.tif 000014
【図１３】
2020202440.tif 000015
【図１４】
2020202440.tif 000016
【図１５】
2020202440.tif 000017
【図１６】
2020202440.tif 000018